(57)【要約】【課題】開閉式の保護カバーを備えた照光式押ボタンのランプ交換作業時に押ボタンが押されることを防止することができる照光式押ボタン用ランプ交換治具を提供する。【解決手段】ランプ交換治具１０は、矩形板状の底部１１と、底部１１の前後端に底部１１の上面に対して同じ向きに垂直にそれぞれ設けられた矩形板状の外側および内側抑え部１２，１３とを具備する。内側抑え部１２の厚さは照光式押ボタン２０のボタン部２１の本体２１ａの厚さと略同じにされている。ランプ交換治具１０は、保護カバー２４を閉じた状態で、内側抑え部１３の上面がボタン部２１の本体２１ａの下面に当接するまで照光式押ボタン２０の下方から上に向けて移動されることにより、照光式押ボタン２０に装着される。【選択図】図１
2013118077.tif 000002
【特許請求の範囲】
【請求項１】
開閉式の保護カバー（２４）を備えた照光式押ボタン（２０）のランプを交換する際に用いる照光式押ボタン用ランプ交換治具（１０）であって、
前記保護カバーが、下面が開口面とされたキャップ（２４ｂ）と、該キャップに上端部が回転可能に取り付けられたガード（２４ａ）とを備え、
前記照光式押ボタンが、盤（１）に形成された前記照光式押ボタンの取付穴よりも通常時は外側に位置するボタン部（２１）の本体（２１ａ）を備え、
前記照光式押ボタン用ランプ交換治具が、矩形板状の底部（１１）と、該底部の前後端に該底部の上面に対して同じ向きに垂直にそれぞれ設けられた矩形板状の外側および内側抑え部（１２，１３）とを具備し、
前記内側抑え部の厚さが、前記ボタン部の前記本体の厚さと略同じにされており、
前記照光式押ボタン用ランプ交換治具が、前記保護カバーを閉じた状態で、前記内側抑え部の上面が前記ボタン部の前記本体の下面に当接するまで前記照光式押ボタンの下方から上に向けて移動されて該照光式押ボタンに装着される、
ことを特徴とする、照光式押ボタン用ランプ交換治具。
【請求項２】
前記照光式押ボタンの前記ボタン部が、前記本体よりも大きいパネル（２１ｂ）をさらに備え、
前記照光式押ボタン用ランプ交換治具の前記外側抑え部の後面から前記内側抑え部の前面までの長さが、該照光式押ボタン用ランプ交換治具を前記照光式押ボタンに装着した場合に、該外側抑え部の後面が前記保護カバーの前記ガードの前面の下端部側に当接するとともに該内側抑え部の前面が前記ボタン部の前記パネルの後面の下端部に当接する長さにされている、
ことを特徴とする、請求項１記載の照光式押ボタン用ランプ交換治具。
【発明の詳細な説明】
【技術分野】
【０００１】
本発明は、開閉式の保護カバーを備えた照光式押ボタンのランプ交換作業に用いるのに好適な照光式押ボタン用ランプ交換治具に関する。
【背景技術】
【０００２】
電力会社の発電所では各種の装置の運転や停止などを行うために種々の照光式押ボタンを使用しているが、このような照光式押ボタンとしては、装置の状態が目視で分かるように白熱ランプやＬＥＤランプなどを使用したタイプのものや、押ボタンに運転員が不用意に触れて装置を作動または停止させないための保護カバーを備えたタイプのものがある。
【０００３】
また、保護カバーを備えた照光式押ボタンとしては、下記の特許文献１に開示されているような固定式の保護カバーを備えたタイプのものや、たとえば株式会社山武製の形番２Ｃ−Ｌ１Ａ２４Ｂ−ＡＣのような開閉式の保護カバーを備えたタイプのものがある。
【０００４】
開閉式の保護カバーを備えた照光式押ボタンは、たとえば図３（ａ）〜（ｄ）に示す照光式押ボタン２０のように、矩形板状の透明な本体２１ａの前面に矩形薄板状の透明なパネル２１ｂ（同図（ｂ）参照）が取り付けられたボタン部２１と、前面にボタン部２１の後端部が前端部に嵌入されて固定された略矩形筒状のベース部２２と、棒状部材の先端に取り付けられたベース保持部材でベース部２２の上面および下面を挟持してベース部２２を保持するためのランプホルダー部２３と、透明なガード２４ａおよびキャップ２４ｂを備えた保護カバー２４（同図（ｂ）参照）とを具備する。
ここで、図示していないが、ランプは、光がベース部２２を通過してボタン部２１を後面から照射するように、ランプホルダー部２３の棒状部材の末端側に固定されたランプホルダーに取り付けられている。また、ランプホルダー部２３の棒状部材のベース保持部材とランプホルダーとの間には、ベース保持部材を前後方向（同図（ａ）〜（ｄ）図示横方向）に摺動可能とする摺動部材が設けられている。
【０００５】
ボタン部２１のパネル２１ｂは、パネル２１ｂの外周部が本体２１ａから数ｍｍ程度はみ出るように、本体２１ａよりも大きくされている。
【０００６】
保護カバー２４のキャップ２４ｂは上板部と両側板部とからなり、キャップ２４ｂの前面、後面および下面は開口面とされている。
保護カバー２４のガード２４ａは前面板部と両側板部とからなり、ガード２４ａの両側板部の上端部は、キャップ２４ｂの上板部に横方向に沿って取り付けられた軸を中心に回転可能にキャップ２４ｂに取り付けられている（図３（ｂ）参照）。
保護カバー２４は、キャップ２４ｂの上板部および両側板部の内面でボタン部２１のパネル２１ｂの上面および両側面を保持するようにしてボタン部２１に取り付けられる。
【０００７】
照光式押ボタン２０の盤１への取付けは、盤１に矩形状の取付穴を形成して、先端面が取付穴の前面と一致するように矩形筒状のホルダー２を盤１に取り付けたのち、ボタン部２１の本体２１ａが通常時は盤１の取付穴よりも外側に位置するがボタン部２１を押したときには盤１の取付穴内に引っ込むように照光式押ボタン２０をホルダー２内に取り付けることにより行われる。
【０００８】
運転員は、装置の運転または停止を行う際には、照光式押ボタン２０の保護カバー２４のガード２４ａの下端部を摘んで手前に引きながらガード２４ａを図３（ｂ）に太矢印で示すように反時計回りに回転させて開いたのち、ボタン部２１を同図（ｃ）に白抜き矢印で示すように押す。これにより、ランプホルダー部２３のベース保持部材および棒状部材が同図（ｃ）に太矢印で示すように左方向に移動して、ランプが点灯される。
なお、照光式押ボタン２０のボタンストロークは、ボタン部２１を押したときに本体２１ａが必要以上にホルダー２内に入ることがないように、本体２１ａの厚さ（たとえば、３ｍｍ）と略同じにされている。
【０００９】
また、運転員は、照光式押ボタン２０のランプ切れを発見したときは、以下に示す手順１〜３に従ってランプ交換作業をその都度行っている。
（手順１）ガード２４ａを閉じた状態でボタン部２１および保護カバー２４を上下から摘んで手前に引き（図３（ｄ）の白抜き矢印参照）、照光式押ボタン２０が止まると９０°回転させたのち、ボタン部２１および保護カバー２４を再度手前に引くことにより、照光式押ボタン２０を盤１から取り外す。
（手順２）切れたランプを新しいランプに交換する。
（手順３）ガード２４ａを閉じた状態でボタン部２１および保護カバー２４を上下から摘んで手順１と逆の手順で照光式押ボタン２０をホルダー２内に押し込むことにより、照光式押ボタン２０を盤１に取り付ける。
【００１０】
なお、下記の特許文献２には、ランプカバーを取り外すことなくランプ交換などを可能とするために、押しボタン部材を固定部材側へ移動させると、可動部材の係合孔は係止部材の係止部との係合を解除する方向に移動し、セーフティスプリングの下端部が係止部材の舌状部と係合する方向に移動することによって、可動部材の係合孔による係止部材の係止部の係止を解除することにより、ランプカバーは下方に落下しようとするが、係止部材の舌状部がセーフティスプリングと係合していることから、落下により舌状部を介してランプカバーがセーフティスプリングに引っ掛かり落下しないようにした、ランプカバーの取付構造が開示されている。
【先行技術文献】
【特許文献】
【００１１】
【特許文献１】特開２００２−１００２５８号公報
【特許文献２】特開平７−０８５７１４号公報
【発明の概要】
【発明が解決しようとする課題】
【００１２】
しかしながら、上述した照光式押ボタン２０のランプ交換作業では、照光式押ボタン２０を盤１から取り外す際にボタン部２１を押して装置を停止させてしまうとフィルタ材や廃棄物処理などの無駄な費用が発生するため、運転員はボタン部２１を押さないように注意して作業を行うが、多数個の照光式押ボタン２０がマトリックス状に配置されて盤１に取り付けられている場合には、大半の照光式押ボタン２０については運転員がそんなに力を入れなくてもボタン部２１および保護カバー２４を手前に引くことができるが、中にはたとえばランプホルダー部２３の摺動部材が固着気味になり運転員が力を入れないとボタン部２１および保護カバー２４を手前に引くことができないものがある。
このような照光式押ボタン２０については、ごく稀ではあるが、運転員が最初にボタン部２１および保護カバー２４を手前に引く際に保護カバー２０のガード２４ａを無意識に少し開いてボタン部２１のパネル２１ｂとガード２４ａとの間に指を滑り込ませてボタン部２１を押してしまうことがあるという問題があった。
【００１３】
本発明の目的は、開閉式の保護カバーを備えた照光式押ボタンのランプ交換作業時に押ボタンが押されることを防止することができる照光式押ボタン用ランプ交換治具を提供することにある。
【課題を解決するための手段】
【００１４】
本発明の照光式押ボタン用ランプ交換治具は、開閉式の保護カバー（２４）を備えた照光式押ボタン（２０）のランプを交換する際に用いる照光式押ボタン用ランプ交換治具（１０）であって、前記保護カバーが、下面が開口面とされたキャップ（２４ｂ）と、該キャップに上端部が回転可能に取り付けられたガード（２４ａ）とを備え、前記照光式押ボタンが、盤（１）に形成された前記照光式押ボタンの取付穴よりも通常時は外側に位置するボタン部（２１）の本体（２１ａ）を備え、前記照光式押ボタン用ランプ交換治具が、矩形板状の底部（１１）と、該底部の前後端に該底部の上面に対して同じ向きに垂直にそれぞれ設けられた矩形板状の外側および内側抑え部（１２，１３）とを具備し、前記内側抑え部の厚さが、前記ボタン部の前記本体の厚さと略同じにされており、前記照光式押ボタン用ランプ交換治具が、前記保護カバーを閉じた状態で、前記内側抑え部の上面が前記ボタン部の前記本体の下面に当接するまで前記照光式押ボタンの下方から上に向けて移動されて該照光式押ボタンに装着されることを特徴とする。
ここで、前記照光式押ボタンの前記ボタン部が、前記本体よりも大きいパネル（２１ｂ）をさらに備え、前記照光式押ボタン用ランプ交換治具の前記外側抑え部の後面から前記内側抑え部の前面までの長さが、該照光式押ボタン用ランプ交換治具を前記照光式押ボタンに装着した場合に、該外側抑え部の後面が前記保護カバーの前記ガードの前面の下端部側に当接するとともに該内側抑え部の前面が前記ボタン部の前記パネルの後面の下端部に当接する長さにされていてもよい。
【発明の効果】
【００１５】
本発明の照光式押ボタン用ランプ交換治具は、以下に示す効果を奏する。
（１）開閉式の保護カバーを備えた照光式押ボタンのランプ交換作業時に押ボタン（ボタン部）が押されることを防止することができる。
（２）ランプ交換作業に伴う装置の不要な運転および停止を防止することができる。
（３）不要な装置停止に伴う各種費用の発生を防ぐことができる。
（４）不慣れな運転員でも安心してランプ交換作業を行うことができる。
（５）ランプ交換作業をタイムリーに行うことができるため、装置の運転状態を適正に表示することができる。
【図面の簡単な説明】
【００１６】
【図１】本発明の一実施例による照光式押ボタン用ランプ交換治具１０の構成を示す図である。
【図２】図１に示した照光式押ボタン用ランプ交換治具１０を用いた照光式押ボタン２０のランプ交換作業の手順について説明するための図である。
【図３】従来の開閉式の保護カバーを備えた照光式押ボタン２０の構成およびランプ交換作業の手順について説明するための図である。
【発明を実施するための形態】
【００１７】
上記の目的を、矩形板状の底部と、底部の前後端に底部の上面に対して同じ向きに垂直にそれぞれ設けられた矩形板状の外側および内側抑え部とを具備する照光式押ボタン用ランプ交換治具を用いることにより実現した。
【実施例１】
【００１８】
以下、本発明の照光式押ボタン用ランプ交換治具の実施例について図面を参照して説明する。
本発明の一実施例による照光式押ボタン用ランプ交換治具１０（以下、「ランプ交換治具１０」と称する。）は、図１に示すように、側面視で上向き略コの字状の形状を有する。
すなわち、ランプ交換治具１０は、矩形板状の底部１１と、底部１１の前後端に底部１１の上面に対して同じ向きに垂直にそれぞれ設けられた矩形板状の外側および内側抑え部１２，１３とを具備する。
【００１９】
ここで、外側および内側抑え部１２，１３は底部１１と一体的に設けられており、底部１１、外側抑え部１２および内側抑え部１３の幅（横方向の長さ）はボタン部２１のパネル２１ｂの幅と略同じにされているとともに、底部１１、外側抑え部１２および内側抑え部１３の厚さはボタン部２１の本体２１ａの厚さ（たとえば、３ｍｍ）と略同じにされている。
【００２０】
内側抑え部１３は、図２（ａ）に白抜き矢印で示すようにランプ交換治具１０を底部１１の上面が保護カバー２４のガード２４ａの下面に当接するまで照光式押ボタン２０に下から装着した場合に、内側抑え部１３の上面がボタン部２１の本体２１ａの下面に当接する高さとされている。
【００２１】
外側抑え部１２の後面（内側抑え部１３側の面）から内側抑え部１３の前面（外側抑え部１２側の面）までの長さは、ランプ交換治具１０を照光式押ボタン２０に装着した場合に、外側抑え部１２の後面が保護カバー２４のガード２４ａの前面の下端部側に当接するとともに内側抑え部１３の前面がボタン部２１のパネル２１ｂの後面の下端部に当接する長さとされている。
【００２２】
外側抑え部１２の高さ（縦方向の長さ）は、内側抑え部１３の高さよりも大きくされている。
【００２３】
次に、ランプ交換治具１０を用いて図３に示した照光式押ボタン２０のランプ交換作業を行う手順について、図２（ａ），（ｂ）を参照して説明する。
【００２４】
運転員は、図２（ａ）に示すように、保護カバー２０のガード２４ａが閉じていることを確認したのち、ランプ交換治具１０の内側抑え部１３の後面を盤１の前面に当てながら、ランプ交換治具１０の底部１１の上面が保護カバー２４のガード２４ａの下面に当接するとともに内側抑え部１３の上面がボタン部２１の本体２１ａの下面に当接するまで照光式押ボタン２０の下方から上に向けてランプ交換治具１０を移動させる（同図の白抜き矢印参照）ことにより、ランプ交換治具１０を照光式押ボタン２０に装着する。
【００２５】
続いて、運転員は、保護カバー２４の上面に中指を当てるとともにランプ交換治具１０の底部１１の下面に親指を当てて保護カバー２４およびランプ交換治具１０を片方の手で摘んだのちに手前に引き（図２（ｂ）の白抜き矢印参照）、照光式押ボタン２０が止まると９０°回転させたのち、ボタン部２１および保護カバー２４を再度手前に引くことにより、照光式押ボタン２０を盤１から取り外す。
このとき、ランプ交換治具１０の外側抑え部１２の後面が保護カバー２４のガード２４ａの前面の下端部側に当接するとともに内側抑え部１３の前面がボタン部２１のパネル２１ｂの後面の本体２１ａの下端からはみ出た下端部に当接しているため、たとえばランプホルダー部２３の摺動部材が固着気味のときに運転員が最初にボタン部２１および保護カバー２４を手前に引く際に力を入れても、保護カバー２４のガード２４ａが開くことを防止することができる。
また、運転員は、ランプ交換治具１０の底部１１の下面に親指を広く接触させてボタン部２１および保護カバー２４を手前に引くことができるため、ランプ交換治具１０を用いない場合に比べて力を入れずにボタン部２１および保護カバー２４を手前に引くことができる。
【００２６】
続いて、運転員は、照光式押ボタン２０の切れたランプを新しいランプに交換する。
【００２７】
続いて、運転員は、上述した照光式押ボタン２０を盤１から取り外すときと逆の手順で照光式押ボタン２０をホルダー２内に押し込むことにより、照光式押ボタン２０を盤１に取り付ける。
この際には、運転員は、ランプ交換治具１０を照光式押ボタン２０に装着したままとして、保護カバー２４の上面に中指を当てるとともにランプ交換治具１０の底部１１の下面に親指を当てて保護カバー２４およびランプ交換治具１０を片方の手で摘んで照光式押ボタン２０をホルダー２内に押し込んでもよいし、ランプ交換治具１０を照光式押ボタン２０から外して、保護カバー２４を上下から摘んで照光式押ボタン２０をホルダー２内に押し込んでもよい。
【符号の説明】
【００２８】
１  盤
２  ホルダー
１０  ランプ交換治具
１１  底部
１２，１３  外側および内側抑え部
２０  照光式押ボタン
２１  ボタン部
２１ａ  本体
２１ｂ  パネル
２２  ベース部
２３  ランプホルダー部
２４  保護カバー
２４ａ  ガード
２４ｂ  キャップ
【図１】
2013118077.tif 000003
【図２】
2013118077.tif 000004
【図３】
2013118077.tif 000005